【事件の表示】
　特願２０１７−２１０６９５「表示制御装置及びプログラム」拒絶査定不服審判事件〔平成３０年　４月　５日出願公開，特開２０１８−　５５６９７，請求項の数（４）〕について，次のとおり審決する。
【結　論】
　原査定を取り消す。
　本願の発明は，特許すべきものとする。
【理　由】
第１　手続きの経緯
　本願は，平成２２年９月８日に出願した特願２０１０−２０１２９３号の一部を平成２６年８月２９日に新たな特許出願とした特願２０１４−１７６５６５号の一部を平成２８年４月２６日に新たな特許出願とした特願２０１６−８８４４４号の一部を平成２９年１０月３１日に新たな特許出願としたものであって，その手続の経緯は以下のとおりである。
　　　平成２９年１２月　４日：　　手続補正
　　　平成３０年　７月　５日付け：拒絶理由通知
　　　平成３０年　９月１３日：　　意見書，手続補正
　　　平成３１年　２月２２日付け：拒絶査定
　　　令和　元年　５月２２日：　　審判請求，手続補正
第２　原査定の概要
　原査定（平成３１年２月２２日付け拒絶査定）の概要は次のとおりである。
　本願請求項１−４に係る発明は，引用文献１−２に記載された発明および引用文献３−４に例示の周知技術に基づいて，当業者であれば容易になし得たものであるから，特許法第２９条第２項の規定により特許を受けることができない。
　　　　　　　　　　　　＜引用文献等一覧＞
　　　１.特開２００９−１２４４８７号公報
　　　２.特開２００６−２４３９５２号公報
　　　３.特開２００１−３３７７６５号公報（周知技術を示す文献）
　　　４.特開２００９−０６５２４３号公報（周知技術を示す文献）
第３　本願発明
１．本願発明
　本願の請求項１ないし４に係る発明（以下，「本願第１発明」ないし「本願第４発明」という。）は，令和元年５月２２日の手続補正書により補正された特許請求の範囲の請求項１ないし請求項４に記載された事項により特定される以下のとおりの発明である。
「【請求項１】
　利用者がサービス処理に関する機能を設定可能なサービス処理を選択するための第１選択部
であり，当該第１選択部には利用者が設定した機能を利用者に認識させられるアイコン画像
　前記サービス処理と同一のサービス処理を選択するための第２選択部を前記第１選択部とは異なる領域に表示させ，
　前記第２選択部には利用者が設定した機能を表すアイコン画像
であり，当該機能を利用者に認識させられるアイコン画像
　前記第１選択部と前記第２選択部とを表示手段の同一画面に表示させ，
　前記第１選択部を選択した場合に表示させる第１画面と，前記第２選択部を選択した場合に表示させる第２画面とは，どちらも前記サービス処理についての画面であり，前記第２画面には前記サービス処理に関する機能のうち前記第２選択部に表示されているアイコン画像に対応する機能についての設定値が設定可能な画面を表示させ，前記第１画面には，前記第２画面とは異なる画面を表示させるよう制御する表示制御手段と，
を備えた，表示制御装置。
【請求項２】
　前記第２画面とは異なる画面とは，前記第２画面で設定できる機能に比べ，設定できる機能の数が多い画面である，請求項１に記載の表示制御装置。
【請求項３】
　前記第２画面で設定できる機能は，前記第１画面で設定できる機能の一部である請求項２に記載の表示制御装置。
【請求項４】
　利用者がサービス処理に関する機能を設定可能なサービス処理を選択するための第１選択部
であり，当該第１選択部には利用者が設定した機能を利用者に認識させられるアイコン画像
　前記サービス処理と同一のサービス処理を選択するための第２選択部を前記第１選択部とは異なる領域に表示させ，
　前記第２選択部には利用者が設定した機能を表すアイコン画像
であり，当該機能を利用者に認識させられるアイコン画像
　前記第１選択部と前記第２選択部とを表示手段の同一画面に表示させ，
　前記第１選択部を選択した場合に表示させる第１画面と，前記第２選択部を選択した場合に表示させる第２画面とは，どちらも前記サービス処理についての画面であり，前記第２画面には前記サービス処理に関する機能のうち前記第２選択部に表示されているアイコン画像に対応する機能についての設定値が設定可能な画面を表示させ，前記第１画面には，前記第２画面とは異なる画面を表示させるよう制御する処理をコンピュータに実行させるためのプログラム。」
２．引用文献，引用発明等
（１）引用文献１および引用発明
ア　引用文献１の記載事項
　原査定の拒絶理由に引用された引用文献１には，図面とともに次の事項が記載されている（下線は，当審が付加した。以下同様。）。
（ア）「【技術分野】
【０００１】
　本発明は，画像処理システム，画像処理装置，画像処理実行プログラムに関するものである。
【背景技術】
【０００２】
　従来，機器操作画面のＵＩ（ユーザーインターフェイス）をｈｔｍｌ形式で記述し，操作画面からｈｔｍｌ形式を変更することにより，容易に操作画面をカスタマイズできる方法が提案されている（特許文献１参照）。」
（イ）「【００１９】
　
画像処理装置１６は，画像読取デバイス２０と画像形成デバイス２２を備えている
画像読取デバイス２０と画像形成デバイス２２とは画像処理制御部２４によって制御され
・・・（中略）・・・
【００２３】
　なお，
上記画像処理装置１６において，スキャナ機能，プリント機能，コピー機能の他，ファクシミリ機能，ウェブサーバー機能，ウェブブラウザ機能を備えている
【００２４】
　
前記画像処理装置２４は，メインコントローラ２６からの命令に従い制御されるようになっている
【００２５】
　
メインコントロ一ラ２６は，マイクロコンピュータ２８を含んで構成されている。マイクロコンピュータ２８は，ＣＰＵ（セントラルプロセシングュニット）３０，ＲＡＭ（ランダムアクセスメモリ）３２，ＲＯＭ（リードオンリメモリ）３４，Ｉ／Ｏ（入出カポート）３６，及びこれらを互いに接続するデータバスやコントロールバス等のバス３８を備えている
【００２６】
　
Ｉ／Ｏ３６には，前記画像処理制御部２４が接続されている。また，Ｉ／Ｏ３６には，ＵＩ（ユーザインターフェイス）４０が接続されている
（ウ）「【００３２】
　前述した
ＵＩ４０は，入力部５０と表示部５２とを備えたタッチパネル４２と，前記入力部５０からの入力情報を解析するためのＵＩ入力情報解析部４４と，前記表示部５２への表示を制御するＵＩ表示制御部４６と，を有している
【００３３】
　
ＵＩ４０は，ＵＩプログラム実行制御部５４で動作するＵＩプログラムに基づいて制御されるようになっている
このＵＩプログラム実行制御部５４には，ＵＩプログラム読込部５６を介して基本ＵＩプログラムデータメモリ５８から基本ＵＩプログラムが読み込まれて実行される
【００３４】
　
基本ＵＩプログラムは，予め画像処理装置１６に設定される基本的な画像処理設定画面５２Ａ
と，この基本画像処理設定画面５２Ａをタッチパネル４２の表示部５２に表示し，かつ入力部５０での指示を受け付けるためのプログラムである
【００３５】
　
基本画像処理設定画面５２Ａでは，前記基本ＵＩプログラム実行時の，画像処理のためのパラメータ（要素項目）を設定する
【００３６】
　また，
ＵＩ４０は，
Ｉ／Ｏ３６を介して，画像処理制御部２４と接続されており，画像処理指示，或いは画像処理に関わるジョブ履歴等を含む画像処理情報の送受信が実行される
【００３７】
　なお，
画像処理指示には，画像処理に必要なパラメータ（カラー／白黒設定，用紙サイズ設定，印刷面設定，濃度設定等を含む要素項目）がＵＩ４０によって設定されており，当該パラメータ情報が併せて送出される
【００３８】
　
ＵＩ入力情報解析部４４には，通信指示部６０が接続されている
【００３９】
　ＵＩ入力情報解析部４４での解析の結果，通信指示の場合には，その情報が通信指示部６０へ送出される。
通信指示６０では，通信管理部６２に対して，通信網１２を介して外部との通信を開始，又は終了するように指示する
【００４０】
　なお，外部との通信全般とは，例えば，ジョブフローサービス用指示書の受信，画像データの外部への配信，定期又は不定期での自己診断情報のメーカ等への送信，画像処理制御に関するドライバ等のバージョンアップや，新バージョンに関する設定変更プログラム等の受信等が挙げられる。
【００４１】
　
通信管理部６２は，通信情報送受信部６４に接続されている
【００４２】
　通信情報送受信部６４において通信網１２を介して画像データ（記述言語等を含む）を受信した場合には，当該画像データを画像データ受付部６６で受け付ける。画像データ受付部６６は，前記画像処理制御部２４に接続されており，受け付けた画像データは画像処理制御部２４へ送出され，画像処理が実行される。
【００４３】
　ここで，
通信情報送受信部６４には，特別ＵＩプログラムデータ受付部６８が接続されている。通信情報送受信部６８にジョブフローサービスの範疇となる特別ＵＩプログラムデータを受信した場合は，これを特別ＵＩプログラムデータ受付部６８で受け付けるようになっている
【００４４】
　
特別ＵＩプログラムとは，例えば，ユーザーからの要望によって作成される特別画像処理設定画面５２Ｂ
と，この特別な画像処理設定画面をタッチパネル４２の表示部５２に表示し，かつ入力部５０での指示を受け付けるためのプログラムである
【００４５】
　ところで，図４には，基本画像処理設定画面５２Ａが示されており，この
基本画像処理設定画面５２Ａと，
特別画像処理設定画面５２Ｂは，一目瞭然に各要素項目が少なく，かつ基本的な画像処理設定画面５２Ａの各要素項目の表示に比べて大きな表示であり，指定操作が容易となっている（らくらくコピー操作）
（エ）「【００６３】
　次に，図８は，
メインメニュー画面５２Ｄ
におけるボタン操作時の処理ルーチンであり，
【００６４】
　一方，ステップ１２０で肯定判定されると，指示内容がコピーと判断し，ステップ１２４へ移行する。ステップ１２４では，
「コピー」ボタンが操作されたか，『らくらくコピー』ボタンが操作されたが判断され
【００６５】
　ステップ１２４で，図６に示す
「コピー」ボタンが操作されたと判断された場合には，
基本ＵＩプログラムを読み込み，
基本ＵＩプログラムを起動し，
基本画像処理設定画面５２Ａを表示し
【００６６】
　また，ステップ１２４で
『らくらくコピー』ボタンが操作されたと判断された場合には，
特別ＵＩプログラムを読み込み，
特別ＵＩプログラムを起動し，
特別画像処理設定画面５２Ｂを表示し
（オ）図４　（画面の名称（赤字）は，当審で付加した。以下同様。）
      
   
（カ）図５
      
 
　上記図５では，矩形内に，「フルカラー」，「片面＝＞片面」，「用紙　Ａ４」および「濃度　普通」と表示されており，さらに，各矩形の右側に黒い逆三角形が表示されている。
　ここで，グラフィカルユーザインターフェースの技術分野において，一般に，黒い逆三角形は，クリックすることで，複数の選択肢を表示可能な部品である。
　したがって，
特別画像処理設定画面５２Ｂにおいて，右側に黒い逆三角形を伴い，内部に「フルカラー」，「片面＝＞片面」，「用紙　Ａ４」および「濃度　普通」と表示された矩形は，
「画像処理に必要なパラメータ（カラー／白黒設定，用紙サイズ設定，印刷面設定，濃度設定等を含む要素項目）」を設定可能に表示したものである
（キ）図６（Ｂ）
      
 
イ　引用発明
　上記アの引用文献１の，特に下線を付加した記載に着目すると，引用文献１には，以下の発明（以下，「引用発明」という。）が記載されていると認められる。
「画像処理装置１６は，画像読取デバイス２０と画像形成デバイス２２を備えており，画像読取デバイス２０と画像形成デバイス２２とは画像処理制御部２４によって制御され，
　上記画像処理装置１６において，スキャナ機能，プリント機能，コピー機能の他，ファクシミリ機能，ウェブサーバー機能，ウェブブラウザ機能を備えており，
　前記画像処理装置２４は，メインコントローラ２６からの命令に従い制御されるようになっており，
　メインコントロ一ラ２６は，マイクロコンピュータ２８を含んで構成され，マイクロコンピュータ２８は，ＣＰＵ（セントラルプロセシングュニット）３０，ＲＡＭ（ランダムアクセスメモリ）３２，ＲＯＭ（リードオンリメモリ）３４，Ｉ／Ｏ（入出カポート）３６，及びこれらを互いに接続するデータバスやコントロールバス等のバス３８を備えており，
　Ｉ／Ｏ３６には，前記画像処理制御部２４が接続され，また，Ｉ／Ｏ３６には，ＵＩ（ユーザインターフェイス）４０が接続されており，
　ＵＩ４０は，入力部５０と表示部５２とを備えたタッチパネル４２と，前記入力部５０からの入力情報を解析するためのＵＩ入力情報解析部４４と，前記表示部５２への表示を制御するＵＩ表示制御部４６と，を有しており，
　ＵＩ４０は，ＵＩプログラム実行制御部５４で動作するＵＩプログラムに基づいて制御されるようになっており，このＵＩプログラム実行制御部５４には，ＵＩプログラム読込部５６を介して基本ＵＩプログラムデータメモリ５８から基本ＵＩプログラムが読み込まれて実行され，
　基本ＵＩプログラムは，予め画像処理装置１６に設定される基本的な画像処理設定画面５２Ａと，この基本画像処理設定画面５２Ａをタッチパネル４２の表示部５２に表示し，かつ入力部５０での指示を受け付けるためのプログラムであり，
　基本画像処理設定画面５２Ａでは，前記基本ＵＩプログラム実行時の，画像処理のためのパラメータ（要素項目）を設定し，
　また，ＵＩ４０は，Ｉ／Ｏ３６を介して，画像処理制御部２４と接続されており，画像処理指示，或いは画像処理に関わるジョブ履歴等を含む画像処理情報の送受信が実行され，画像処理指示には，画像処理に必要なパラメータ（カラー／白黒設定，用紙サイズ設定，印刷面設定，濃度設定等を含む要素項目）がＵＩ４０によって設定されており，当該パラメータ情報が併せて送出され，
　ＵＩ入力情報解析部４４には，通信指示部６０が接続されており，通信指示６０では，通信管理部６２に対して，通信網１２を介して外部との通信を開始，又は終了するように指示しており，
　通信管理部６２は，通信情報送受信部６４に接続されており，通信情報送受信部６４には，特別ＵＩプログラムデータ受付部６８が接続されており，通信情報送受信部６８にジョブフローサービスの範疇となる特別ＵＩプログラムデータを受信した場合は，これを特別ＵＩプログラムデータ受付部６８で受け付けるようになっており，
　特別ＵＩプログラムとは，例えば，ユーザーからの要望によって作成される特別画像処理設定画面５２Ｂと，この特別な画像処理設定画面をタッチパネル４２の表示部５２に表示し，かつ入力部５０での指示を受け付けるためのプログラムであり，
　基本画像処理設定画面５２Ａと，特別画像処理設定画面５２Ｂは，一目瞭然に各要素項目が少なく，かつ基本的な画像処理設定画面５２Ａの各要素項目の表示に比べて大きな表示であり，指定操作が容易となっている（らくらくコピー操作）であり，
　特別画像処理設定画面５２Ｂにおいて，右側に黒い逆三角形を伴い，内部に「フルカラー」，「片面＝＞片面」，「用紙　Ａ４」および「濃度　普通」と表示された矩形は，「画像処理に必要なパラメータ（カラー／白黒設定，用紙サイズ設定，印刷面設定，濃度設定等を含む要素項目）」を設定可能に表示したものであり，
　メインメニュー画面５２Ｄにおけるボタン操作時の処理ルーチンにおいて，
　「コピー」ボタンが操作されたか，『らくらくコピー』ボタンが操作されたが判断され，
　「コピー」ボタンが操作されたと判断された場合には，基本ＵＩプログラムを読み込み，基本ＵＩプログラムを起動し，基本画像処理設定画面５２Ａを表示し，
　『らくらくコピー』ボタンが操作されたと判断された場合には，特別ＵＩプログラムを読み込み，特別ＵＩプログラムを起動し，特別画像処理設定画面５２Ｂを表示する
ＵＩ（ユーザインターフェイス）４０を備えた画像処理装置１６。」
（２）引用文献２の記載事項と引用文献２記載発明
　原査定の拒絶理由に引用された引用文献２には，図面とともに次の事項が記載されている。
ア　「【００９１】
　図９は，複数の機能グループアイコンからなる機能グループアイコンの設定画面例を示す図で，図１０は，登録された機能グループアイコンの表示例を示す図である。ここでは，
第１の表示領域３０１に表示されている機能グループアイコンのうち，選択された複数の機能グループアイコンを一つの新たな機能グループアイコンとして登録することができる
【００９２】
　プリンタドライバの設定画面には，第３の表示領域３０３と第５の表示領域３０５が設けられている。そして，第５の表示領域３０５には，新たな機能グループアイコンを登録するためのボタンAdd３５１と，登録された機能グループアイコンを削除するためのボタンDelete３５２とが設けられている。
【００９３】
　そして，
機能グループアイコンの登録用ボタンAdd３５１をユーザがポインティングすると，
機能グループアイコンの登録領域９０１が表示される
第１の表示領域３０１に表示されている機能グループアイコンのうち，複数の機能グループアイコン（ここではCopies３１１とＮ−Ｕｐ３１３）が選択されている状態で，ボタンAdd３５１をポインティングして，
機能グループアイコンの登録領域９０１を別に表示させると，選択されている機能グループアイコンがアイコン名登録部９０２に表示される
ユーザはその表示を確認して，表示されている機能グループアイコンを新たな機能グループアイコンとして登録するのであればＯＫボタン９０３をポインティングする
これにより，アイコン名登録部９０２に表示された機能グループアイコンが，新たな一つの機能グループアイコンとして登録される
【００９４】
　上記の例で
登録された新たな機能グループアイコンCopiesとＮ−Ｕｐ３３２は，プリンタドライバの設定画面のグループアイコン表示用領域である第３の表示領域３０３に表示される。そしてユーザは，第３の表示領域３０３に表示された機能グループアイコンを選択することにより，一度のアイコン選択操作によって，複数の機能グループアイコンを選択したときと同様の設定画面を表示させることができる
イ　図９
      
  
ウ　図１０ 
       
エ　上記ア〜ウより，特に下線部に着目すると，引用文献２には，以下の発明（以下，「引用文献２記載発明）という。）が記載されていると認められる。
「第１の表示領域３０１に表示されている機能グループアイコンのうち，選択された複数の機能グループアイコンを一つの新たな機能グループアイコンとして登録することができる機能グループアイコンであって，
　機能グループアイコンの登録用ボタンAdd３５１をユーザがポインティングすると，機能グループアイコンの登録領域９０１が表示され，第１の表示領域３０１に表示されている機能グループアイコンのうち，複数の機能グループアイコン（ここではCopies３１１とＮ−Ｕｐ３１３）が選択されている状態で，ボタンAdd３５１をポインティングして，機能グループアイコンの登録領域９０１を別に表示させると，選択されている機能グループアイコンがアイコン名登録部９０２に表示され，ユーザはその表示を確認して，表示されている機能グループアイコンを新たな機能グループアイコンとして登録するのであればＯＫボタン９０３をポインティングし，これにより，アイコン名登録部９０２に表示された機能グループアイコンが，新たな一つの機能グループアイコンとして登録され，
　登録された新たな機能グループアイコンCopiesとＮ−Ｕｐ３３２は，プリンタドライバの設定画面のグループアイコン表示用領域である第３の表示領域３０３に表示されるものであり，
　ユーザは，第３の表示領域３０３に表示された機能グループアイコンを選択することにより，一度のアイコン選択操作によって，複数の機能グループアイコンを選択したときと同様の設定画面を表示させることができる機能グループアイコン。」
（３）引用文献３記載事項
　原査定の拒絶理由に引用された引用文献３には，図面とともに次の事項が記載されている。
ア　「【００３０】本実施の形態のシステムでは，
パソコン等のデスクトップ１上に，
プリントアイコン１１とファイルアイコンとして原稿ファイルを示すアイコン，すなわち原稿ファイルアイコン１２とが表示されている
原稿ファイルアイコン１２は，ポインタ２によって移動させることが可能となっている
【００３２】まず，図１（ａ）に示すように，
原稿ファイルアイコン１２にポインタ２を重ね合わせマウス
のボタンを押しながら，ポインタ２を任意の位置に移動させる（ドラッグ操作）
原稿ファイルアイコン１２をプリントアイコン１１と重ねた状態でマウスのボタンを離すと原稿ファイルアイコン１２の位置がプリントアイコン１１と重なる位置に固定され，プリントアイコン１１において設定されている条件で印刷処理が実行される
【００３３】この操作において，ファイルの印刷を行う場合，その印刷処理はプリントアイコン１１において設定されている条件に基づいて印刷される。しかし，ユーザが印刷条件の設定を変更したい場合もあり得ることから，プリントアイコン１１における印刷条件を変更することが可能な構成となっている。
【００３６】上記
プリントアイコン１１は，印刷条件の設定に応じて表示が変更される構成とすることができ，ユーザにとって印刷条件が確認し易く利便性が向上する
イ　図１（画面の名称，矢印および枠線（いずれも色付き）は当審で付加した。）
      
ウ　上記アおよびイから，特に下線部に着目すると，引用文献３には，以下の事項が記載されていると認められる。
「パソコン等のデスクトップ１上に，プリントアイコン１１とファイルアイコンとして原稿ファイルを示すアイコン，すなわち原稿ファイルアイコン１２とが表示されており，
　原稿ファイルアイコン１２は，ポインタ２によって移動させることが可能となっており，
　原稿ファイルアイコン１２にポインタ２を重ね合わせマウスのボタンを押しながら，ポインタ２を任意の位置に移動させ（ドラッグ操作），原稿ファイルアイコン１２をプリントアイコン１１と重ねた状態でマウスのボタンを離すと原稿ファイルアイコン１２の位置がプリントアイコン１１と重なる位置に固定され，プリントアイコン１１において設定されている条件で印刷処理が実行されるプリントアイコン１１であって，
　プリントアイコン１１は，印刷条件の設定に応じて表示が変更される構成とすることができ，ユーザにとって印刷条件が確認し易く利便性が向上するプリントアイコン１１。」
（４）引用文献４記載事項
　原査定の拒絶理由に引用された引用文献４には，図面とともに次の事項が記載されている。
ア　「【０００５】
　そこで，本発明は，
読み出しボタンがどのような機能に関するものであるかを容易に認識可能な画像形成装置の表示制御装置
イ　「【００２６】
　操作パネル５は，図１に示すように，本体部４において原稿載置台２の手前側部分に設けられ，図５に示すように，タッチパネル５ａ（表示部に相当）と操作キー５ｂ（タッチパネル５ａ及び操作キー５ｂは，設定受付部に相当）とを有している。タッチパネル５ａは，例えば液晶ディスプレイやマトリクススイッチ等で構成されており，各種画面をカラー表示する。
タッチパネル５ａが表示する画面としては，例えば複合機１が有する各機能の設定を行うための各種設定画面や，既に記憶部４４に記憶されている機能の設定の読み出し画面Ｐ１，Ｐ２
読み出し画面Ｐ１，Ｐ２には，記憶部４４のプログラム設定登録リストから各機能の設定を読み出すための読み出しボタンＫ１〜Ｋ５が含まれている
各読み出しボタンＫ１〜Ｋ５は，選択可能にタッチパネル５ａに表示され，読み出しボタンＫ１〜Ｋ５上には，設定された機能の少なくとも１つを示す記号と，この機能の設定を表すべき名称とが表示される
この記号は，個々に選択可能に表示されている
これにより，ユーザは，タッチパネル５ａ上の読み出しボタンＫ１〜Ｋ５に直接触れることで，所望の読み出しボタンＫ１〜Ｋ５や記号を選択することができる
読み出しボタンＫ１〜Ｋ５は，上下に２つの領域を有しており，下の領域には名称が表示され，上の領域には記号が横に並んで表示されている
ウ　「【００３１】
　　（２−１）プログラム設定登録リストの更新制御
　
複合機１の有する複数の機能のうち少なくとも１つの機能の設定が，ユーザにより操作パネル５を介してなされた場合，制御部４５は，記憶部４４のプログラム設定登録リスト（図４）に新たなレコードを作成し，作成した新たなレコードに操作パネル５が受け付けた機能の設定を書き込む。ここで，新たなレコードの「登録順」には，新たなレコードの直前のレコードにおける登録順の番号をインクリメントしたものが書き込まれる。新たなレコードの「名称」には，ユーザにより操作パネル５を介して任意に入力された名称が書き込まれ，「機能設定内容」には，操作パネル５により受け付けられた各機能の設定が，設定順を示す番号と共に書き込まれる
エ　「【００３３】
　　（２−２）読み出し画面の表示制御
　
操作パネル５上のプログラムキー５１Ｂが押された場合，制御部４５は，図６及び図７に示すように，設定された機能を示す記号及びその機能の設定に対応する名称が読み出しボタンＫ１〜Ｋ５上に表示されるように，タッチパネル５ａの表示動作を制御する
制御部４５は，記憶部４４のプログラム設定登録リスト（図４）から機能の設定に関するデータをレコード単位で取り出し，図３の記号対応表に基づいて，設定された各機能を示す記号を抽出する。そして，制御部４５は，機能の設定に対応する名称と抽出した記号とを，各レコードに対応する読み出しボタンＫ１〜Ｋ５上に表示させる
【００３４】
　
例えば，図４のプログラム設定登録リストにおいて，制御部４５は，登録順００１のレコードを取り出すと，機能設定内容ソート原稿サイズ混載原稿セット向きそれぞれに対応する記号を図３の記号対応表から抽出する。そして，制御部４５は，登録順００１のレコードに対応する読み出しボタンＫ１（図６）に名称通常コピー１を表示させ，名称の上にソート／仕分け機能，原稿サイズ混載機能，原稿セット向き設定機能の各記号（具体的には，アイコン）を，左から順に表示させる
【００３５】
　ここで，図６及び図７に示すように，本実施形態に係る読み出しボタンＫ１〜Ｋ５では，３つの記号が表示可能なように，記号の配置領域が３つに区切られている。図４のプログラム設定登録リストでは，登録順が００１から００４までのレコードにおいては，設定された機能が３つ以下であるため，各機能を示す記号は全て表示される。しかし，登録順が００５のレコードにおいては，設定された機能が４つであるため，各機能を示す記号全てを読み出しボタンＫ５に表示させることができない。このように，設定された機能の数が読み出しボタンＫ１〜Ｋ５に表示可能な記号の上限数（第１上限数に相当）を越えている場合には，制御部４５は，記号を，機能の設定順に上限数に至るまで読み出しボタンＫ１〜Ｋ５に表示させる。具体的には，登録順が００５のレコードにおいては，ソート機能，原稿サイズ設定機能，両面印刷機能，原稿セット向き設定機能がこの順に設定されているため，制御部４５は，ソート／仕分け機能，原稿サイズ設定機能及び両面印刷機能を示す記号３つを，読み出しボタンＫ５に表示させる（図７）。
【００３６】
　尚，プログラム設定登録リストにレコードがない場合には，制御部４５は，例えば登録されている機能の設定がない旨を示すメッセージを，タッチパネル５ａに表示させる。
【００３７】
　　（２−３）編集画面の表示制御
　図６及び図７の
読み出し画面Ｐ１，Ｐ２において，読み出しボタンＫ１〜Ｋ５上に選択可能に表示された記号が選択された場合，制御部４５は，選択された記号に対応する機能の編集画面がタッチパネル５ａに表示されるように，タッチパネル５ａの表示動作を制御する
【００３８】
　
例えば，図６の読み出し画面Ｐ１において，読み出しボタンＫ２上の原稿サイズ設定機能の記号（具体的には，読み出しボタンＫ２上の一番左側のアイコン）が選択された場合，制御部４５は，図８に示すように，原稿サイズ設定機能の編集画面Ｐ３を読み出し画面Ｐ１に重ねて表示させる
オ　図３
      
 
カ　図６
      
  
キ　図７ 
       
ク　図８
      
ケ　上記ア〜クより，特に下線部に着目すると，引用文献４には，以下の事項が記載されていると認められる。
「読み出しボタンがどのような機能に関するものであるかを容易に認識可能な画像形成装置の表示制御装置であって，
　タッチパネル５ａが表示する画面としては，例えば複合機１が有する各機能の設定を行うための各種設定画面や，既に記憶部４４に記憶されている機能の設定の読み出し画面Ｐ１，Ｐ２であって，
　読み出し画面Ｐ１，Ｐ２には，記憶部４４のプログラム設定登録リストから各機能の設定を読み出すための読み出しボタンＫ１〜Ｋ５が含まれており，
　各読み出しボタンＫ１〜Ｋ５は，選択可能にタッチパネル５ａに表示され，読み出しボタンＫ１〜Ｋ５上には，設定された機能の少なくとも１つを示す記号と，この機能の設定を表すべき名称とが表示されており，
　この記号は，個々に選択可能に表示されており，
　これにより，ユーザは，タッチパネル５ａ上の読み出しボタンＫ１〜Ｋ５に直接触れることで，所望の読み出しボタンＫ１〜Ｋ５や記号を選択することができ，
　読み出しボタンＫ１〜Ｋ５は，上下に２つの領域を有しており，下の領域には名称が表示され，上の領域には記号が横に並んで表示されており，
　複合機１の有する複数の機能のうち少なくとも１つの機能の設定が，ユーザにより操作パネル５を介してなされた場合，制御部４５は，記憶部４４のプログラム設定登録リストに新たなレコードを作成し，作成した新たなレコードに操作パネル５が受け付けた機能の設定を書き込み，ここで，新たなレコードの「登録順」には，新たなレコードの直前のレコードにおける登録順の番号をインクリメントしたものが書き込まれ，新たなレコードの「名称」には，ユーザにより操作パネル５を介して任意に入力された名称が書き込まれ，「機能設定内容」には，操作パネル５により受け付けられた各機能の設定が，設定順を示す番号と共に書き込まれ，
　操作パネル５上のプログラムキー５１Ｂが押された場合，制御部４５は，定された機能を示す記号及びその機能の設定に対応する名称が読み出しボタンＫ１〜Ｋ５上に表示されるように，タッチパネル５ａの表示動作を制御し，具体的には，制御部４５は，記憶部４４のプログラム設定登録リストから機能の設定に関するデータをレコード単位で取り出し，記号対応表に基づいて，設定された各機能を示す記号を抽出し，機能の設定に対応する名称と抽出した記号とを，各レコードに対応する読み出しボタンＫ１〜Ｋ５上に表示させ，
　例えば，制御部４５は，登録順００１のレコードを取り出すと，機能設定内容ソート原稿サイズ混載原稿セット向きそれぞれに対応する記号を記号対応表から抽出し，登録順００１のレコードに対応する読み出しボタンＫ１に名称通常コピー１を表示させ，名称の上にソート／仕分け機能，原稿サイズ混載機能，原稿セット向き設定機能の各記号（具体的には，アイコン）を，左から順に表示させ，
　読み出し画面Ｐ１，Ｐ２において，読み出しボタンＫ１〜Ｋ５上に選択可能に表示された記号が選択された場合，制御部４５は，選択された記号に対応する機能の編集画面がタッチパネル５ａに表示されるように，タッチパネル５ａの表示動作を制御し，
　例えば，読み出し画面Ｐ１において，読み出しボタンＫ２上の原稿サイズ設定機能の記号（具体的には，読み出しボタンＫ２上の一番左側のアイコン）が選択された場合，制御部４５は，原稿サイズ設定機能の編集画面Ｐ３を読み出し画面Ｐ１に重ねて表示させる
画像形成装置の表示制御装置。」
（５）前置審査報告書で引用された引用文献５記載事項
　前置審査報告書で周知技術記載文献として引用された引用文献５（特開２０１０−４３０１号）には，図面とともに次の事項が記載されている。
ア　「【背景技術】
【０００２】
　複写機や複合機などでは，ジョブの設定内容や履歴などを表示する画面に，ジョブの処理条件（機能やモード）が文字やアイコンなどで表示されている。
【０００３】
　たとえば，特許文献１には，コピージョブの設定内容を確認するための確認画面に，設定された複数の処理条件を文字で表示する技術が開示されている。特許文献２には，過去に設定・実行したコピージョブの履歴を一覧表示する際に，各コピージョブにおける複数の処理条件（モード）を文字で表示する技術が開示されている。特許文献３には，処理中や処理待ちなどのジョブの履歴を一覧表示する際に，各ジョブにおける複数の処理条件を文字で表示したり，１つのアイコンに集約して表示したりする技術が開示されている。特許文献４には，ジョブステータス画面の所定領域（ジョブリスト領域）に，ジョブの処理条件（処理動作の内容）をアイコンで簡潔に表示する技術が開示されている。
【０００４】
【特許文献１】特開２００５−３１５００号公報
【特許文献２】特開平１０−２７１２４８号公報
【特許文献３】特許第３４９９５２７号公報
【特許文献４】特開２００１−１５４７７３号公報
【発明の開示】
【発明が解決しようとする課題】
【０００５】
　上記の技術はいずれも，ジョブにおける複数の処理条件を表示する際に，文字のみまたはアイコンのみで表示している。文字による表示は，処理条件の名称や内容を言葉で具体的に表しているため理解しやすい利点があるが，文字数が多くなると見にくくなる欠点がある。アイコンによる表示は，処理条件を絵（イメージ画）で簡潔に表しているため見やすい利点があるが，認知度や使用頻度の低い処理条件などはアイコンから内容を理解しにくい欠点がある。このように，文字またはアイコンによる表示には一長一短がある。また，いずれの処理条件が文字またはアイコンによる表示に適しているのかは，その処理条件の汎用度（一般的か特殊か）や認知度，ユーザによる使用頻度，習熟度，表示形態の嗜好などによって異なる。そのため，文字またはアイコンの一方のみに偏った表示では，ユーザに対して見やすさと理解しやすさを両立した表示を提供できていない問題がある。」
イ　図４
       
  
ウ　図５ 
      
 
３．対比・判断
（１）本願第１発明について
ア　本願第１発明と引用発明とを対比すると，次のことが認められる。
（ア）　引用発明において，「「コピー」ボタンが操作されたと判断された場合には，基本ＵＩプログラムを読み込み，基本ＵＩプログラムを起動し，基本画像処理設定画面５２Ａを表示」され，「基本画像処理設定画面５２Ａでは，前記基本ＵＩプログラム実行時の，画像処理のためのパラメータ（要素項目）を設定」するから，「メインメニュー画面５２Ｄ（図６（Ｂ）」における「コピー」ボタンは，利用者がコピーサービス処理に関する機能を設定可能なコピーサービス処理を選択するためのボタン（選択部）であるといえる。
　しがたがって，本願第１発明と引用発明とは，「利用者がサービス処理に関する機能を設定可能なサービス処理を選択するための第１選択部」「を表示させ」ている点で共通しているといえる。
（イ）　引用発明の「コピー」ボタンも，『らくらくコピー』ボタンも，同一のコピーサービス処理を選択すためのボタンであるから，『らくらくコピー』ボタンは，第１選択部である「コピー」ボタンと同一の（コピー）サービス処理を選択するための第２選択部であるといえる。
　また，「メインメニュー画面５２Ｄ（図６（Ｂ）」において，「コピー」ボタンは左上の領域に表示され，『らくらくコピー』ボタンは左下の領域に表示されているから，両者は異なる領域に表示されているといえる。
　したがって，本願第１発明と引用発明とは，「前記サービス処理と同一のサービス処理を選択するための第２選択部を前記第１選択部とは異なる領域に表示させ」ている点で共通しているといえる。
（ウ）　引用発明の「メインメニュー画面５２Ｄ（図６（Ｂ）」は，タッチパネル４２の表示部５２に表示されるものであり，当該画面において，「コピー」ボタンは左上の領域に表示され，『らくらくコピー』ボタンは左下の領域に表示されているから，両者は表示手段であるタッチパネルの同一画面に表示されているといえる。
　したがって，本願第１発明と引用発明とは，「前記第１選択部と前記第２選択部とを表示手段の同一画面に表示させ」ている点で共通しているといえる。
（エ）　引用発明の，「コピー」ボタンが操作されたと判断された場合に表示される基本画像処理設定画面５２Ａと，『らくらくコピー』ボタンが操作されたと判断された場合に表示される特別画像処理設定画面５２Ｂとは，どちらもコピーサービス処理についての画面であるといえる。
　また，『らくらくコピー』ボタンが操作されたと判断された場合に表示される特別画像処理設定画面５２Ｂには，「右側に黒い逆三角形を伴い，内部に「フルカラー」，「片面＝＞片面」，「用紙　Ａ４」および「濃度　普通」と表示された矩形」が表示されており，当該矩形は，「画像処理に必要なパラメータ（カラー／白黒設定，用紙サイズ設定，印刷面設定，濃度設定等を含む要素項目）」を設定可能に表示したものである。
　さらに，引用発明の，「コピー」ボタンが操作されたと判断された場合に表示される基本画像処理設定画面５２Ａと，『らくらくコピー』ボタンが操作されたと判断された場合に表示される特別画像処理設定画面５２Ｂにおいて，「基本画像処理設定画面５２Ａと，特別画像処理設定画面５２Ｂは，一目瞭然に各要素項目が少なく，かつ基本的な画像処理設定画面５２Ａの各要素項目の表示に比べて大きな表示であり，指定操作が容易となっている（らくらくコピー操作）」から，「基本画像処理設定画面５２Ａ」と，「特別画像処理設定画面５２Ｂ」とは異なる画面であるといえる。
　したがって，本願第１発明と引用発明とは，「前記第１選択部を選択した場合に表示させる第１画面と，前記第２選択部を選択した場合に表示させる第２画面とは，どちらも前記サービス処理についての画面であり，前記第２画面には前記サービス処理に関する機能のうち前記第２選択部」，「に対応する機能についての設定値が設定可能な画面を表示させ，前記第１画面には，前記第２画面とは異なる画面を表示」している点で共通しているといえる。
（オ）　引用発明の「ＵＩ（ユーザインターフェイス）４０」は，「入力部５０と表示部５２とを備えたタッチパネル４２と，前記入力部５０からの入力情報を解析するためのＵＩ入力情報解析部４４と，前記表示部５２への表示を制御するＵＩ表示制御部４６と，を有して」いるから，「表示制御手段」（ＵＩ表示制御部４６）を備えた「表示制御装置」であるといえる。
　したがって，本願第１発明と引用発明とは，「表示させるよう制御する表示制御手段」「を備えた，表示制御装置」である点で共通しているといえる。
イ　本願第１発明と，引用発明とは，以下（ア）の点で一致し，以下（イ）の点で相違する。
（ア）　一致点
「利用者がサービス処理に関する機能を設定可能なサービス処理を選択するための第１選択部を表示させ，
　前記サービス処理と同一のサービス処理を選択するための第２選択部を前記第１選択部とは異なる領域に表示させ，
　前記第１選択部と前記第２選択部とを表示手段の同一画面に表示させ，
　前記第１選択部を選択した場合に表示させる第１画面と，前記第２選択部を選択した場合に表示させる第２画面とは，どちらも前記サービス処理についての画面であり，前記第２画面には前記サービス処理に関する機能のうち前記第２選択部に対応する機能についての設定値が設定可能な画面を表示させ，前記第１画面には，前記第２画面とは異なる画面を表示させるよう制御する表示制御手段と，
を備えた，表示制御装置。」
（イ）　相違点
ａ　相違点１
　本願第１発明では，第１選択部に，利用者が設定した機能を利用者に認識させられるアイコン画像を表示させているのに対して，引用発明では，このようなアイコン画像を表示していない点。
ｂ　相違点２
　本願第１発明では，第２選択部に，利用者が設定した機能を表すアイコン画像であり，当該機能を利用者に認識させられるアイコン画像を表示させているのに対して，引用発明では，このようなアイコン画像を表示していない点。
ｃ　相違点３
　本願第１発明では，「第２選択部に対応する機能についての設定値」として，「第２選択部に表示されているアイコン画像に対応する機能についての設定値」が設定可能な画面を表示されているのに対して，引用発明では，このようなアイコン画像を表示していない点。
ウ　相違点についての判断
まず，相違点１について検討する。
（ア）引用文献２記載発明の適用について
　上記２（２）エより，引用文献２記載発明は，「選択された複数の機能グループアイコンを一つの新たな機能グループアイコンとして登録することができる機能グループアイコンであって，」「複数の機能グループアイコン（ここではCopies３１１とＮ−Ｕｐ３１３）が選択されている」場合に，「CopiesとＮ−Ｕｐ」という名称を表示する機能グループアイコンを登録できるものであり，この名称の表示は，「利用者が設定した機能を利用者に認識させられるアイコン画像」の表示には該当しない。
　したがって，引用発明に引用文献２記載発明を適用しても，相違点１に係る構成には至らない。
（イ）引用文献３記載技術の適用について
　上記２（３）ウより，引用文献３には，「パソコン等のデスクトップ１上に，」表示される「プリントアイコン１１」であって，「原稿ファイルアイコン１２」をドラッグ操作により移動させ「原稿ファイルアイコン１２をプリントアイコン１１と重ねた状態でマウスのボタンを離すと」「プリントアイコン１１において設定されている条件で印刷処理が実行されるプリントアイコン１１の技術が記載されている。
　この引用文献３記載技術は，パソコン等のデスクトップにおけるマウス操作を前提としたユーザインターフェイス技術の分野に属するものであり，マウス等の座標入力用デバイスを用いたインターフェイスの利用を前提としていない引用発明のような画像処理装置とは，技術分野が相違している。
　また，引用発明の第１選択部に対応するコピーボタンはユーザが選択した際に，第１画面に対応する基本画像処理設定画面５２Ａを表示させるものであるのに対し，引用文献３記載技術のプリントアイコン１１は，「原稿ファイルアイコン１２」をマウスのドラッグ操作により移動させ「原稿ファイルアイコン１２をプリントアイコン１１と重ねた状態でマウスのボタンを離すと」「プリントアイコン１１において設定されている条件で印刷処理が実行されるものであるから，引用文献３記載技術のプリントアイコン１１は，選択することによって第１画面を表示させる第１選択部に対応するものでもないから，当該技術を引用発明のコピーボタンにそのまま適用することができるものではない。
（ウ）引用文献４記載技術の適用について
　上記２（４）ケより，引用文献４には，第１選択部に対応する読み出しボタン上に記号（アイコン）を表示することは記載されているものの，当該アイコンは，利用者が選択できる機能の種類を表示するものであって，利用者が設定した機能（設定値）を利用者に認識させられるアイコン画像とはいえないから，引用発明に，引用文献４記載技術を適用しても，相違点１に係る構成には至らない。
（エ）引用文献５記載技術の適用について
　上記２（５）アより，前置審査報告書で周知技術記載文献として引用された引用文献５には，背景技術として，ジョブの設定内容や履歴などを表示する画面に，ジョブの処理条件（機能やモード）が文字やアイコンなどで表示することが記載されており，複数の文献が列挙されていることから，当該技術は，本願出願前に周知であったと認められる。
　しかし，ジョブの設定内容や履歴などを表示する画面に表示されるジョブは，当該ジョブを選択することで，繰り返したいジョブを効率よく再実行できるものであるから，ジョブは，第１画面を表示させるための第１選択部に対応するものではないし，「利用者が設定した機能（設定値）を利用者に認識させられるアイコン画像」ともいえない。
　したがって，引用発明において，第１選択部に対応するコピーボタンに，当該周知技術を適用することはできない。また，引用発明に，引用文献５記載技術を適用しても，相違点１に係る構成には至らない。
（オ）以上（ア）〜（エ）より，引用発明および引用文献２記載発明，ならびに，引用文献３ないし４，引用文献５に記載の技術に基づいて，当業者は相違点１に係る構成を想到することができない。
エ　小括
　したがって，上記相違点２および３について判断するまでもなく，本願第１発明は，引用発明および引用文献２記載発明，ならびに，引用文献３ないし４，引用文献５に記載の技術に基づいて，当業者が容易に発明できたものであるとはいえない。
　また，本願第１発明は，上記相違点１に係る構成を採用することにより，上記引用文献等を組み合わせても想定しえなかった効果である，第１画面を表示する前に，選択画面において利用者が設定した機能の設定値を利用者に認識させることを可能としている。
（２）　本願第２発明ないし本願第４発明について
　本願第２発明および本願第３発明は，いずれも，本願第１発明と同一の構成を備えるものであるから，本願第１発明と同じ理由により，引用発明および引用文献２記載発明，ならびに，引用文献３ないし４，引用文献５に記載の技術に基づいて，当業者が容易に発明できたものであるとはいえない。
　また，本願第４発明は，本願第１発明の，発明のカテゴリを，「表示制御装置」から「表示させるよう制御する処理をコンピュータに実行させるためのプログラム」へと変更したものであり，同様の構成を備えているから，本願第１発明と同様の理由により，引用発明および引用文献２記載発明，ならびに，引用文献３ないし４，引用文献５に記載の技術に基づいて，当業者が容易に発明できたものであるとはいえない。
第５　むすび
　以上のとおり，原査定の理由によっては，本願を拒絶することはできない。
　また，他に本願を拒絶すべき理由を発見しない。
　よって，結論のとおり審決する。